(57)【要約】買い物籠（１）は、４個の壁（３−６）、一つの底（１１）、及び籠の持ち運びを許すためのハンドル（２０、２１）を有し、そして籠の壁の一つ（６）には、買い物籠から外向きに伸び又は買い物籠内に内向きに伸びかつボトル又は缶のための受け器として作用するようにされた部分（２５）が設けられる。この突き出し部分（２５）は買い物籠の壁（６）と一体に形成され、典型的な缶又はボトルの半径よりわずかに大きい半径を有する円筒状であり、更に平らな保持用の底壁（２８）を有し、このため、口が開けられかつ液体で一杯の缶又はボトルを、その内容物をこぼすことなく確実に保持する。籠の壁（３−６）は、１個以上の籠を他の籠の中に積み重ねことができるように僅かに外向きに傾けられた断面のものである。
2004505857.tif 000002
【特許請求の範囲】
【請求項１】
品物を持ち運ぶための内部空間を定めている壁、
底、
受け器の内部空間を定めている少なくも１個の壁と底とを有する前記受け器
を具備し、
少なくも１個の壁と底とのある前記受け器が前記籠の第１の壁と一体に形成されることを特徴とする籠。
【請求項２】
前記籠の持ち運びを許すために少なくも１個のハンドルを更に備える請求項１の籠。
【請求項３】
前記壁の各が頂部部分を備え、更に前記少なくも１個のハンドルが少なくも１個の壁の前記頂部部分に取り付けられる請求項２の籠。
【請求項４】
前記少なくも１個のハンドルが少なくも１個の壁の前記頂部部分に回転可能に取り付けられる請求項３の籠。
【請求項５】
前記籠の前記第１の壁及び前記受け器の前記少なくも１個の壁とが一体に形成されかつ前記受け器の内部空間が前記籠の内部空間から識別されるように完成される請求項１の籠。
【請求項６】
前記受け器が実質的に円筒状の断面形状を有する請求項５の籠。
【請求項７】
前記受け器が前記籠の前記第１の壁に関して外向きに突き出る請求項５の籠。
【請求項８】
前記籠が２個の長い側壁及び２個の短い端部壁を更に備え、これらが品物を持ち運ぶための前記内部空間を定め、更に前記受け器が前記籠の１個の側壁に沿って設置される請求項７の籠。
【請求項９】
前記籠が２個の長い側壁及び２個の短い端部壁を更に備え、これらが品物を持ち運ぶための内部空間を定め、更に前記受け器が前記籠の一方の端部の壁に沿って設置される請求項７の籠。
【請求項１０】
前記受け器が前記籠の前記内部空間内に内向きに突き出る請求項５の籠。
【請求項１１】
前記籠が２個の長い側壁及び２個の短い端部壁を更に備え、これらが品物を持ち運ぶための前記内部空間を定め、更に前記受け器が前記籠の一方の側壁に沿って設置される請求項１０の籠。
【請求項１２】
前記籠が２個の長い側壁及び２個の短い端部壁を更に備え、これらが品物を持ち運ぶための前記内部空間を定め、更に前記受け器が前記籠の一方の端部の壁に沿って設置される請求項１０の籠。
【請求項１３】
前記籠の前記第１の壁及び前記受け器の前記少なくも一方の壁が一体に形成されかつ前記受け器の内部空間が前記籠の内部空間に少なくも部分的に開かれるように不完全である請求項１の籠。
【請求項１４】
前記籠の前記第１の壁が向かい合っている縁を有する２個の端部部分を備え、更に前記受け器の前記少なくも一方の壁が向かい合っている縁を有する端部部分を有し、このため、前記籠の前記第１の壁の前記向かい合っている縁が、前記受け器の前記少なくも一方の壁の前記向かい合っている縁に当たりかつこれらと一体に形成される請求項１３の籠。
【請求項１５】
前記受け器が実質的に円筒状の断面形状を有する請求項１３の籠。
【請求項１６】
前記受け器が前記籠の前記第１の壁に関して外向きに突き出る請求項１３の籠。
【請求項１７】
前記籠が２個の長い側壁及び２個の短い端部壁を更に備え、これらが品物を持ち運ぶための前記内部空間を定め、更に前記受け器が前記籠の一方の側壁に沿って設置される請求項１６の籠。
【請求項１８】
前記籠が２個の長い側壁及び２個の短い端部壁を更に備え、これらが品物を持ち運ぶための内部空間を定め、更に前記受け器が前記籠の一方の端部の壁に沿って設置される請求項１６の籠。
【請求項１９】
前記受け器が前記籠の前記内部空間内に内向きに突き出る請求項１３の籠。
【請求項２０】
前記籠が２個の長い側壁及び２個の短い端部壁を更に備え、これらが品物を持ち運ぶための前記内部空間を定め、更に前記受け器が前記籠の一方の側壁に沿って設置される請求項１９の籠。
【請求項２１】
前記籠が２個の長い側壁及び２個の短い端部壁を更に備え、これらが品物を持ち運ぶための前記内部空間を定め、更に前記受け器が前記籠の一方の端部の壁に沿って設置される請求項１９の籠。
【請求項２２】
１個のかかる前記籠を別のかかる前記籠の中に置き得るように前記籠の前記壁と前記受け器の前記少なくも１個の壁とが外向きに傾けられる請求項１の籠。
【発明の詳細な説明】
【０００１】
【発明の背景】
本発明は、小売りの買い物中に使用される受容器、特に買い物客が買い物籠と同時に口の開けられた液体ボトルを便利に持ち運びできるための買い物用受容器に関する。
【０００２】
スーパーマーケットのような小売店で買い物をする人は、実際に購買を行うときまで、買いたい品物を置いて持ち運ぶために一般に何かの受容器を使用する。買い物客は、買いたい品物の全てを集めて、支払いのために受容器内の品物を支払いカウンターに運ぶまで、受容器内のこれらの品物を持ち運ぶ。最も普通に使われるかかる受容器は、小さい品物又は少数の品物を保持するためには買い物籠が使われ、大きい物又は多量の品物を保持するにはショッピングカート又はワゴンが使用される。
【０００３】
買い物は、特に大型小売店及びスーパーマーケットの時代においてはかなり時間のかかることが多い活動であるため、買い物客は買い物中に喉の渇くことが多く、又は、さもなければ何かで爽快になる要求を持つであろう。従って、買い物客にとっては、その買い物ルートの始めに商品展示の一つから一般に缶入れ又はボトル入れの冷たい飲み物を選び、買い物中にこれを飲んで爽快になり、次いで支払いカウンターにおいて購入したその他の品物と共にその飲み物について支払いをすることが普通の方法となった。
【０００４】
しかし、特に支払い前に選んだ品物を保持するために買い物籠を使用している客にとっては、買い物中、口の開いた容器から飲むことは不便でありかつ時には扱いが困難である可能性がある。買い物客は買い物籠を持ち運ぶために一般に片手だけしか必要でないため、客は、陳列棚から品物を取りこれを買い物籠の中に置くため、及び飲み物容器を保持しこれから飲むために自由な片手を使うであろう。飲み物を保持するため、及び棚から品物を取るために同じ手を使おうとする買い物客は、多くの望ましくない結果の危険に直面する。かかる望ましくない結果の一つは、飲み物を、自分に、又は買うために選んだ品物に、又は店のどこかにこぼすことである。別の望ましくない結果は、飲み物を落とすか又は買うために選んだ品物を落とすかであり、これにより包装又はその他の容器を破損する可能性があり更に損害を起こす恐れがある。従って、口が開けられ液体で一杯の缶又はボトルを片手で持ち、他方の手で買い物籠を持ち運ぶ買い物客は、棚から品物を取るときは飲み物を傍らに置くことが必要となるであろう。具合のわるいことに、これは、客による置き損ない、あるいは床又は棚への置き忘れを起こすことがあり、これにより飲み物容器が後で破損し、或いはそのとき又は後で内容物がこぼれ、これにより損害の生ずる可能性がある。従って、買い物客が買い物籠を持ち運びながら口が開けられ液体で一杯のボトル又は缶を持ち運びこれから飲むことは不具合である。
【０００５】
このため、買い物籠を使っている買い物客に買い物の間に飲み物を楽しむ便利な方法を提供することが本発明の目的である。
【０００６】
買い物客が買い物をするために手を使うとき、飲み物又は籠を床の上に置くことなく、飲み物を一時的に置くための便利な受け器を有し買い物客が持ち運ぶ買い物籠を提供することが本発明の別の目的である。
【０００７】
籠を使用している買い物客が棚から品物を取るために籠か飲み物かのいずれかを下に置くことなしに買い物中にボトルから飲むことができるように、口が開けられ液体で一杯のボトル又は缶を確実に保持できる買い物籠を提供することが本発明のなお別の目的である。
【０００８】
【発明の概要】
本発明のこれら及びその他の目的は、本発明の好ましい実施例に従って、４個の壁、底、及び籠の持ち運びを許すためのハンドルを有する買い物籠の提供により達成される。籠の少なくも１個の壁の一部分が買い物籠の外側又は内側のいずれかに向かって突き出し、そしてボトル又は缶のための受け器として作用するようにされる。この突出部分は買い物籠の壁と一体に形成されかつ典型的な缶又はボトルの半径より僅かに大きい半径を有する円筒状に形成され、更に平ら底の保持用の壁を持つ。この突出部分は、口が開けられ液体で一杯の缶又はボトルを、その内容物をこぼすことなく確実に保持するようにされる。そこで、この買い物籠を使用している買い物客は、缶又はボトルから飲むことができ、次いでこれを買い物籠の壁から形成された受け器内に置くことができるであろう。買い物客は、受け器から缶又はボトルを容易に取り出しかつこれを希望のように元に戻すことができ、このため、買い物客は、便利かつ選択的に希望のように買い物をすることと缶又はボトルから飲むこととができる。この部分の壁は、ある籠を他の籠に中に積み重ねることができるように僅かに外向きに傾けられる。
【０００９】
【詳細な説明】
本発明の以上及びその他の目的は、付属図面に関して行われる以下の詳細な説明の考察より明らかになるであろう。これら図面においては、番号は全図を通して同様な部品を示す。
【００１０】
図面を参照すれば、図１は一般に番号１で示される本発明の買い物籠を示す。小売店及びスーパーマーケットにおいて最も普通に使用される種類の従来技術の買い物籠と同様に、籠１は、平らな底と４個の側面のある直方体状の籠である。籠１は、向かい合った端部壁３、４、及び端部壁３、４の間の向かい合った側壁５、６を含む４個の壁３−６を持つ。籠１は、より多数の壁を有し又はより少数の壁を有し、或いは場合によっては部分的な壁しかないような別の配列となし得ることは言うまでもない。籠１は、籠に所要の強度及び耐久性の特徴を与える硬質射出成型プラスチックのような買い物籠を通常作るための適宜の材料から作ることができる。
【００１１】
壁３−６は、籠１の開口部１２の境界を形成する上の縁１３−１６、及び籠１の底１１の境界を形成する下の縁を持つ。壁３−６は、買い物客が購入のために選んだ品物が籠１の側面又は壁３−６を通って落ちることを防止するために貫通開口なしに形成することができる。しかし、壁３−６の隙間又は開口が品物のここからの通過落下を防ぐために十分に小さい限り、壁３−６を開口なしに形成することは必ずしも必要ではなく、またリブ付きの構造又は格子状構造を有し形成することができる。壁３−６の各は、籠１に十分な強度と構造とを与えかつ材料費を節約しつつ籠１の側面からの品物の通過落下を防ぐであろう買い物籠用の従来技術における適宜の標準構造により形成することができる。例えば、図１に示されるような第１の実施例においては、壁４、６は縦リブ１７で形成されているとして示される。リブ１７は、使用中又は積重ね中における籠１の変形を防ぐに十分な強度を有し、更に籠１の使用中に品物が籠１の側面を通って落ちることを防ぐに十分に狭いリブ間の間隙を持つ。
【００１２】
籠１の壁３−６は、籠１の開口部１２の寸法が籠１の底１１の寸法より大きくなるように、その底の縁から頂部の縁１３−１６に向かって外向きに緩く傾斜することが好ましい。壁３−６の外向きの傾斜及び開口部１２が底１１より大きいことにより、籠１の底は別の籠１の開口部１２内に適合でき、このため籠１は貯蔵のために入れ子式に積み重ねることができる。
【００１３】
標準の従来の買い物籠と同様に、買い物籠１も、１個のハンドルが籠１のどちらかの端部に固定された状態で、籠１の壁５、６の頂部の縁１５、１６に回転可能に取り付けられた１個又は複数個のハンドル２０、２１を持つことができる。ハンドル２０、２１はこのように配列され、従ってハンドルは、籠１とその内容物とを完全に支持するために上向きに回して一緒に保持できる。また、貯蔵のために１個又は複数個の籠１を積み重ね得るようにハンドル２０、２１を下向きに回して籠１の頂部の縁１５、１６に対して平らに置くことができる。
【００１４】
本発明の諸目的を達成するために、図１及び２の第１の実施例に示されるように、籠１には受け器２５が設けられる。受け器２５は、籠１に関して外向きに突き出た壁６の一体の延長部であるとして図１に示される。好ましい実施例においては、受け器２５は買い物籠の壁６と一体に形成される。受け器２５は、コップ、缶又はボトルのような飲料容器（以下、単に飲み物と呼ぶ）を受け入れ、この飲み物をこぼすことなく保持できるような形にされる。このため、受け器２５は、適宜の断面形状を持つことができるが円柱状であることが好ましく、かつかかる受け器が容器を保持できるように典型的なコップ、缶又はボトルの半径よりやや大きい半径を持つことが好ましい。受け器２５は、受け器２５内に置かれた飲み物又はその他の品物を支持するために平らな保持用底壁２８も持つ。
【００１５】
受け器２５が、飲み物を籠１の内側１９内にこぼすことを防ぎつつ飲み物を内部に適正に保持するために、受け器２５内に保持された飲み物を籠１の内部１９内に落とさないように受け器２５の内側１８と籠１の内側１９との間に十分な障壁がなければならない。一般に、図５に示された一実施例においては、受け器２５の内部１８は、籠１の壁６が壁３における一方の端部から壁４における他方の端部に完全かつ連続して伸びるような、籠１の内側１９から完全に別個なものとすることができる。そこで、受け器２５の壁２７は壁６に当たり、かつ区域３０においてこれと一体に形成することができるが、壁６により定められるように籠１の開口部１２の連続した境界の明快さを乱すことはない。
【００１６】
籠の壁６と受け器の壁２７との取付部の別の実施例においては、図１に示されるように受け器２５は籠１の壁６の単なる延長部又は突出部ではなくて、壁６の延長部は受け器２５の内側１８と籠１の内側１９との間の部分的障壁として作用する。壁６の頂部の縁１６は、壁６の頂部に沿って伸び、そして壁６の開口部２２を残して縁２３、２４において終わり、壁６も頂部の縁１６もこの開口部を横切って伸びることはない。壁６の頂部の縁１６は、縁２３、２４において、円形状に籠１から外向きに曲がり、受け器２５の壁２７の頂部の縁２６を形成する。縁２３、２４の各は、まず壁６の頂部の縁１６の方向に伸び、次いで受け器２５の壁２７の頂部の縁２６を形成するように戻り方向に伸びるであろう。
【００１７】
この方法において、籠１の壁６が頂部の縁１６から下向きに伸び、受け器２５の壁２７が頂部の縁２６から下向きに伸び、そして壁６と壁２７との交線、即ち縁２３、２４において戻りが形成されるようにして、受け器２５が籠１の壁６の一部分として形成される。図１に示されるように、縁２３と２４との間の開口部２２の幅は、好ましくは受け器２５の直径より小さく、また受け器２５内に保持されているいかなる飲み物の直径よりも小さくすべきである。そこで、受け器２５内に保持されるいかなる飲み物も、縁２３、２４間の開口２２を通して適合できないであろうし、またこれにより籠１の内部１９内にこぼれないであろう。従って、飲み物は受け器２５内に安全に保持されるであろう。
【００１８】
買い物籠１の壁３−６及び一般の買い物籠の壁と同様に、受け器２５の壁２７は、頂部の縁２６により作られた開口の寸法、特に直径が底面２８の直径より大きくなるように、その底面２８からその頂部の縁２６に向かって外向きに緩やかに傾斜する。籠１が貯蔵のために積み重ねられたとき、ある受け器２５の底２８を別の籠１の受け器２５内に置くことができるように、受け器２５の開口における直径はその底における直径より大きい。この方法で、受け器２５は、貯蔵のために１個又は複数個の買い物籠１の積み重ね能力に干渉しない。
【００１９】
壁３−６の構造に関して上述されたように、受け器２５の壁２７は、内部に置かれたいかなる物品も受け器２５の壁２７を通して落ちることのないようにするために、これを貫通する開口なしに形成することができる。壁２５は、壁２７における間隙又は開口が、これら開口を通して受け器２５内の飲み物の落ちることを防ぐように十分に小さい限り又は狭い限り、リブ付き又は格子状構造で作ることができる。図１の第１の実施例に示されるように、壁２７は、籠１の壁３−６の構造と適合するために、縦リブ１７で形成されているとして示される。
【００２０】
本発明の第１の好ましい実施例は籠１の側面６に受け器２５を置いたが、ある買い物客は、買い物籠２５を、籠１の側面ではなくて籠１の端部に置くことがより望ましいことを見いだすかもしれない。ある買い物客については、この方向が買い物中、単純により快適であるかもしれない。図３に示されたような本発明の別の実施例においては、受け器２５は、図１に示されたように横壁６から突き出る代わりに端部の壁４から外向きに突き出る。この実施例は、使用者の飲み物が籠１の側面５、６の一方ではなくて籠の端部３、４の一方にある受け器２５により補強される点を除いて、構造のその他のすべての様相は、上述されかつ図１及び２に示された実施例と同様である。
【００２１】
図４に断面で示された本発明の第３の実施例においては、受け器１２５は、買い物籠１の側壁５、６の一方又は端部の壁３、４の一方のいずれかに形成することができる。しかし、この第３の実施例においては、受け器１２５は、籠１から外向きではなくて籠１内に内向きに突き出る。第１の実施例の図２の断面図と第３の実施例の図４の断面図とを比較すれば、図４の受け器１２５の壁１２７は、図２におけるように籠１の内部空積の外側に配置されるのではなく、籠１の内部空積内に配置されることが分かる。そこで、受け器１２５は、買い物籠１の対応壁３−６と一体に形成され、更に受け器１２５の円筒状の壁１２７及びこれが形成される買い物籠の対応壁の配置が、籠１に関して受け器２５が外向きに突き出た第１及び第２の実施例に関して上述されたものと逆に形成される点を除いて、上述の構造の各を有して形成することができる。従って、使用者は、買い物中、缶又はボトルから飲んで、これを、買い物籠１内に配置された受け器１２５内に置くことができる。このため、この実施例においては、籠１の壁３−６のいずれからも突き出ていない。
【００２２】
従って、一体に形成されたボトル又は缶の保持器を有する買い物籠が提供される。本発明の好ましい実施例が図示され説明されたが、本発明は、説明のためであって本発明を限定しない説明された実施例とは別の方法で実施できること、及び請求項に定められた本発明の範囲から離れることなく種々の変更及び変化をなし得ることが、本技術の熟練者に明らかであろう。
【図面の簡単な説明】
【図１】
本発明の受け器を有する買い物籠の第１の実施例の斜視図である。
【図２】
図１に示された受け器付きの買い物籠の第１の実施例の断面図である。
【図３】
本発明の買い物籠の第２の実施例の斜視図である。
【図４】
本発明の買い物籠の第３の実施例の断面図である。
【図５】
第１の実施例の買い物籠への受け器の別形式の取付けの部分的な平面図である。
【国際公開パンフレット】
2004505857.tif 000003
2004505857.tif 000004
2004505857.tif 000005
2004505857.tif 000006
2004505857.tif 000007
2004505857.tif 000008
2004505857.tif 000009
2004505857.tif 000010
2004505857.tif 000011
2004505857.tif 000012
2004505857.tif 000013
2004505857.tif 000014
2004505857.tif 000015
2004505857.tif 000016
2004505857.tif 000017
2004505857.tif 000018
【手続補正書】
【提出日】平成12年12月21日(2000.12.21)
【手続補正１】
【補正対象書類名】明細書
【補正対象項目名】特許請求の範囲
【補正方法】変更
【補正の内容】
【特許請求の範囲】
【請求項１】
内部に飲料を有し口が開けられた１回分の大きさの飲料缶又はボトルを持ち運ぶための買い物籠であって、
底、
前記底から伸びている複数の側面パネル、及び
前記側面パネルの一つに沿って位置決めされた飲み物保持器
を具備し、
前記飲み物保持器は、前記飲料をこぼすことなく前記飲料缶又はボトルを前記飲み物保持器内に差し込んだ状態で前記買い物籠を持ち運び得るように、前記１回分の大きさの缶又はボトルを受け入れるに十分な深さと直径とを備えることを特徴とする買い物籠。
【請求項２】
前記複数の側面パネルの各が外側と内側とを備える請求項１の買い物籠。
【請求項３】
前記側面パネルの一つの前記外側が前記飲み物保持器を備える請求項２の買い物籠。
【請求項４】
前記側面パネルの一つの前記内側が前記飲み物保持器を備える請求項２の買い物籠。
【請求項５】
前記複数の側面パネルが１対の向かい合っている長い側面及び１対の向かい合っている短い側面を備える請求項１の買い物籠。
【請求項６】
前記１対の向かい合っている長い側面の一方が前記飲み物保持器を備える請求項５買い物籠。
【請求項７】
前記１対の向かい合っている短い側面の一方が前記飲み物保持器を備える請求項５の買い物籠。
【請求項８】
前記複数の側面パネルの各が中央部分と２個の横方向端部部分とを備える請求項１の買い物籠。
【請求項９】
前記複数の側面パネルの一つの前記中央部分が前記飲み物保持器を備える請求項８の買い物籠。
【請求項１０】
前記側面パネルの一つと前記飲み物保持器とが一体に形成される請求項１の買い物籠。
【請求項１１】
前記側面パネルの一つと前記飲み物保持器とが互いに固定取り付けされる請求項１の買い物籠。
【請求項１２】
前記飲み物保持器が半円形の横方向形状を有する請求項１の買い物籠。
【請求項１３】
前記飲み物保持器が実質的に平らな基底を備える請求項１の買い物籠。
【請求項１４】
前記底、前記複数の側面パネル、及び前記飲み物保持器が成型されたプラスチックよりなる請求項１の買い物籠。
【請求項１５】
籠により買い物をする方法であって、
飲み物保持器を備えている前記籠を取り上げ、
内部に飲料を有する１回分の大きさの飲料容器を取り上げ、
前記飲料容器の口を開け、
前記１回分の大きさの飲料容器を前記飲み物保持器内に置き、
買い物中、前記籠を持ち運び、そして
購入するための品物を前記籠の中に置く
諸段階を含んだ方法。
【請求項１６】
前記飲料が炭酸系ソフトドリンクを含む請求項１５の買い物方法。
【請求項１７】
前記飲料容器を前記飲み物保持器から取り出し、前記飲料を消費し、そして前記飲料容器を前記飲み物保持器に戻す諸段階を更に含む請求項１５の買い物方法。
【国際調査報告】
2004505857.tif 000019